(57)【要約】発音容器は、開口部を有する容器と、前記開口部を閉じるためのキャップであって、発音機能を有するキャップとを備える。前記キャップは、前記キャップが閉じられたことを検知して第１信号を出力する第１センサと、前記キャップが開けられたことを検知して第２信号を出力する第２センサと、前記第１センサおよび前記第２センサに接続された電子回路と、前記電子回路に接続された発音部材とを備える。前記電子回路は、前記第１センサから前記第１信号が出力されたとき、前記発音部材に第１音声を発声させ、前記第２センサから前記第２信号が出力されたとき、前記発音部材に前記第１音声とは異なる第２音声を発声させる。
2020004365.tif 000002
【特許請求の範囲】
【請求項１】
開口部を有する容器と、
前記開口部を閉じるためのキャップであって、発音機能を有するキャップと、
を備え、
前記キャップは、
前記キャップが閉じられたことを検知して第１信号を出力する第１センサと、
前記キャップが開けられたことを検知して第２信号を出力する第２センサと、
前記第１センサおよび前記第２センサに接続された電子回路と、
前記電子回路に接続された発音部材と、
を備え、
前記電子回路は、
前記第１センサから前記第１信号が出力されたとき、前記発音部材に第１音声を発声させ、
前記第２センサから前記第２信号が出力されたとき、前記発音部材に前記第１音声とは異なる第２音声を発声させる、
発音容器。
【請求項２】
前記容器は、
前記開口部を規定する先端部と、
前記先端部の外周に設けられた容器ネジ部と、
を備え、
前記キャップは、
前記先端部の周囲に取り付けられたキャップ本体と、
前記キャップ本体に接続され、前記容器ネジ部に螺合する蓋体ネジ部を内側に有する蓋体と、
前記蓋体を覆うカバーと、
を備え、
前記電子回路および前記発音部材は、前記カバーと前記蓋体との間に配置され、
前記第１センサは、前記カバーに取り付けられた第１スイッチであり、
前記第２センサは、前記カバーに取り付けられた第２スイッチであり、
前記第１スイッチは、前記蓋体によって前記開口部が閉状態になったことを検知して前記第１信号を出力し、
前記第２スイッチは、前記開口部が開放され、前記蓋体が所定の位置に達したことを検知して前記第２信号を出力する、
請求項１に記載の発音容器。
【請求項３】
前記キャップ本体は、使用時に前記容器から離れない態様で前記容器の前記先端部の周囲に取り付けられ、
前記第２スイッチは、前記カバーの下端部のうち、前記キャップ本体と前記蓋体との接続部の近傍に位置し、前記蓋体が開けられたときに前記キャップ本体に接触することによってオンになる、
請求項２に記載の発音容器。
【請求項４】
前記第１スイッチは、前記カバーの下端部のうち、前記第２スイッチの反対側の部位に位置し、前記キャップと前記容器との締め付けが完了したときに前記第１スイッチが前記キャップ本体に接触することによってオンになる、請求項３に記載の発音容器。
【請求項５】
前記カバーは、前記蓋体から分離しない態様で前記蓋体に取り付けられている、請求項２から４のいずれかに記載の発音容器。
【請求項６】
前記カバーの上面は、前記発音部材の動作時に振動し、前記発音部材から発せられた音声の音量を増加させる振動板として機能する、請求項２から５のいずれかに記載の発音容器。
【請求項７】
前記カバーと前記蓋体との間の空間は、前記発音部材から発せられた音声を共鳴させ、前記音声の音量を増加させる、請求項２から６のいずれかに記載の発音容器。
【請求項８】
前記カバーの上面は、複数の孔を有する、請求項２から７のいずれかに記載の発音容器。
【請求項９】
前記容器は、内服薬用の容器であり、
前記第１音声は、次回の服薬タイミングを通知する音声、および前記キャップが正常に閉まったことを通知する音声の少なくとも一方を含む、
請求項１から８のいずれかに記載の発音容器。
【請求項１０】
前記容器は、内服薬用の容器であり、
前記第２音声は、前記内服薬の名称および服薬量の少なくとも一方を示す音声を含む、請求項１から９のいずれかに記載の発音容器。
【請求項１１】
前記電子回路は、
前記第１音声を示す第１音声データ、および前記第２音声を示す第２音声データを記録するメモリと、
外部機器との間で無線通信を行う通信回路と、
を含み、
前記電子回路は、前記通信回路を介して前記外部機器から前記第１音声データおよび／または前記第２音声データを変更すべき旨の指令を受けたとき、前記メモリ内の前記第１音声データおよび／または前記第２音声データを変更する、
請求項１から１０のいずれかに記載の発音容器。
【請求項１２】
前記電子回路は、タイマー回路を含み、前記第２信号が出力されてから所定の時間が経過しても前記第１信号が出力されない場合、前記発音部材に、前記第１音声および前記第２音声とは異なる第３音声を発声させる、請求項１から１１のいずれかに記載の発音容器。
【請求項１３】
前記第３音声は、前記キャップを正常に締めることを促す音声を含む、請求項１２に記載の発音容器。
【請求項１４】
前記キャップは、前記容器に対して回転されることにより、前記開口部を閉じるために前記蓋体が前記容器の前記先端部に係合する閉位置と、前記開口部を開くために前記蓋体が前記容器の前記先端部との係合を解除する開位置とに回転位置を変更可能に構成され、
前記キャップ本体は、前記容器と係合すべく前記容器ネジ部と螺合する本体ネジ部を備え、
前記容器の前記先端部は、前記キャップを前記容器に装着するときに、前記キャップを回転させることによって前記キャップ本体の前記本体ネジ部を前記容器ネジ部に螺合させた後、前記キャップをさらに回転させることによって前記容器ネジ部に対する前記本体ネジ部の螺合を解除して空転させ、前記キャップをさらに回転させることによって前記蓋体ネジ部の前記容器ネジ部との螺合が完了したときに、前記キャップが前記閉位置に位置するように構成され、
前記容器の前記先端部は、さらに、前記キャップを前記容器に装着する際、前記容器ネジ部に対する螺合が解除され且つ前記容器ネジ部に対して空転させている前記本体ネジ部を摺接させることによって前記キャップを前記閉位置へと案内する第１案内部を有する、請求項２から４のいずれかに記載の発音容器。
【請求項１５】
前記キャップ本体および前記蓋体は、前記キャップが閉位置に位置する際に、互いに嵌合する嵌合部を備え、
前記容器は、前記キャップが閉位置から開位置に回転位置を変更する際に各嵌合部の嵌合が解除されるべく、前記キャップ本体と前記蓋体とが離反するように、前記キャップを案内する第２案内部を備える、請求項１４に記載の発音容器。
【発明の詳細な説明】
【技術分野】
【０００１】
本発明は、発音機能を有するキャップ付き容器に関する。
【背景技術】
【０００２】
特許文献１は、開口部を有する容器と、容器の開口部を閉じるべく容器に装着されるキャップとを備えるキャップ付き容器を開示している。このキャップ付き容器におけるキャップは、容器と係合するキャップ本体と、容器と係合し且つ容器の開口部を開閉できるようにキャップ本体に接続される蓋体とを備える。キャップは、容器に対して回転されることにより、開口部を閉じるべく蓋体が容器と係合する閉位置と、開口部を開くべく蓋体が容器との係合を解除する開位置とに位置変更可能に構成されている。このキャップ付き容器は、キャップを容器に一旦装着すると、キャップ本体における突出部が、容器の係止部によって係止される。このため、キャップ本体を容器から容易に取り外すことができなくなる。このキャップ付き容器は、例えば医薬品用の容器として使用され得る。【０００３】
一方、特許文献２は、錠剤容器に取り付けられ、錠剤または薬剤が服用されなければならないときに、服用者に注意を促す装置を開示している。この装置は、タイマー電子回路、アラーム手段、およびＬＣＤユニットなどを備える。アラーム手段およびＬＣＤユニットによって服用者に注意を促すことが開示されている。
【先行技術文献】
【特許文献】
【０００４】
【特許文献１】特開２０１５−１２９０１０号公報
【特許文献２】特開２０１０−５０８９２６号公報
【発明の概要】
【発明が解決しようとする課題】
【０００５】
容器に取り付けられ、使用者に注意を喚起する従来の装置の機能は、単に所定の時刻にアラームを鳴らしたり、液晶表示部に情報を表示したりする機能に留まっていた。また、従来の装置を、特許文献１に開示されているようなキャップ付き容器に取り付けることは困難であった。【０００６】
本発明は、上記の課題を解決し得る新規な発音容器を提供する。
【課題を解決するための手段】
【０００７】
本発明の一態様に係る発音容器は、開口部を有する容器と、前記開口部を閉じるためのキャップであって、発音機能を有するキャップと、を備える。前記キャップは、前記キャップが閉じられたことを検知して第１信号を出力する第１センサと、前記キャップが開けられたことを検知して第２信号を出力する第２センサと、前記第１センサおよび前記第２センサに接続された電子回路と、前記電子回路に接続された発音部材と、を備える。前記電子回路は、前記第１センサから前記第１信号が出力されたとき、前記発音部材に第１音声を発声させ、前記第２センサから前記第２信号が出力されたとき、前記発音部材に前記第１音声とは異なる第２音声を発声させる。【０００８】
本開示における包括的または具体的な態様は、装置、システム、方法、集積回路、コンピュータプログラム、または記録媒体によって実現され得る。あるいは、装置、システム、方法、集積回路、コンピュータプログラム、および記録媒体の任意の組み合わせによって実現されてもよい。
【発明の効果】
【０００９】
本発明の実施形態によれば、キャップ付き容器の開閉時のそれぞれのタイミングで、適切なアナウンスを行うことが可能である。このため、従来の発音機能付きの容器と比較して、利便性を向上させることができる。
【図面の簡単な説明】
【００１０】
【図１Ａ】図１Ａは、キャップが閉じられた状態における発音容器の正面図である。
【図１Ｂ】図１Ｂは、図１Ａに示す発音容器を、容器の中心軸のまわりに９０度回転させた状態を示す図である。
【図１Ｃ】図１Ｃは、図１Ｂに示す発音容器を、中心軸のまわりにさらに９０度回転させた状態を示す図である。
【図２Ａ】図２Ａは、キャップが開けられた状態における発音容器の正面図である。
【図２Ｂ】図２Ｂは、図２Ａに示す発音容器を、中心軸のまわりに９０度回転させた状態を示す図である。
【図２Ｃ】図２Ｃは、図１Ｂに示す発音容器を、中心軸のまわりにさらに９０度回転させた状態を示す図である。
【図３】図３は、キャップが閉じた状態における発音容器の上面図である。
【図４Ａ】図４Ａは、図３に示す発音容器のＡ−Ａ線断面図である。
【図４Ｂ】図４Ｂは、図３に示す発音容器のＢ−Ｂ線断面図である。
【図５Ａ】図５Ａは、図４Ｂにおける円５Ａで囲まれる部分を拡大して示す図である。
【図５Ｂ】図５Ｂは、図４Ｂにおける円５Ｂで囲まれる部分を拡大して示す図である。
【図６】図６は、キャップが開いた状態における発音容器の上面図である。
【図７Ａ】図７Ａは、図６に示す発音容器のＡ−Ａ線断面図である。
【図７Ｂ】図７Ｂは、図６に示す発音容器のＢ−Ｂ線断面図である。
【図８Ａ】図８Ａは、図７Ｂにおける円８Ａで囲まれる部分を拡大して示す図である。
【図８Ｂ】図８Ｂは、図７Ｂにおける円８Ｂで囲まれる部分を拡大して示す図である。
【図９】図９は、第１スイッチ、第２スイッチ、電子回路、発音部材、およびバッテリの電気的な接続関係を模式的に示すブロック図である。
【図１０Ａ】図１０Ａは、他の実施形態を示す断面図である。
【図１０Ｂ】図１０Ｂは、他の実施形態におけるキャップの上面図である。
【図１１Ａ】図１１Ａは、さらに他の実施形態における電子回路の構成を示す図である。
【図１１Ｂ】図１１Ｂは、さらに他の実施形態における発音容器を示す図である。
【図１２】図１２は、キャップが容器の開口部を閉塞した状態を示すキャップ付き容器の側面図である。
【図１３】図１３は、キャップによる開口部の閉塞が解除された状態を示すキャップ付き容器の側面図である。
【図１４】図１４は、蓋体が容器の開口部から離反された状態を示すキャップ付き容器の側面図である。
【図１５】図１５は、キャップが容器の開口部を閉塞した状態を示すキャップ付き容器の部分断面図である。
【図１６】図１６は、キャップによる開口部の閉塞が解除された状態を示すキャップ付き容器の部分断面図である。
【図１７】図１７は、キャップ本体に蓋体が嵌合した状態を示すキャップの縦断面図である。
【図１８】図１８は、蓋体がキャップ本体から離れた状態を示すキャップの底面図である。
【図１９】図１９は、図１８におけるＶＩＩＩ−ＶＩＩＩ線断面図である。
【図２０】図２０は、容器の平面図である。
【図２１】図２１は、容器の側面図である。
【図２２】図２２は、図２１に示すＸＩ−ＸＩ線における部分断面図である。
【図２３】図２３は、図２１における容器の位置を軸線周りに９０度ずらした状態における容器の側面図である。
【図２４】図２４は、図２３における容器の位置を軸線周りに９０度ずらした状態における容器の側面図である。
【図２５】図２５は、図２４に示すＸＩＶ−ＸＩＶ線における部分断面図である。
【発明を実施するための形態】
【００１１】
以下、本発明の実施形態を説明する。ただし、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、発明者らは、当業者が本開示を十分に理解するために添付図面および以下の説明を提供するのであって、これらによって特許請求の範囲に記載の主題を限定することを意図するものではない。本明細書においては、同一のまたは類似する構成要素には、同一の参照符号を付している。
【００１２】
図１Ａから図２Ｃは、本発明の例示的な実施形態による発音容器の外観を示す図である。図１Ａは、キャップが閉じられた状態における発音容器の正面図である。図１Ｂは、図１Ａに示す発音容器を、容器の中心軸のまわりに９０度回転させた状態を示す図である。図１Ｃは、図１Ｂに示す発音容器を、中心軸のまわりにさらに９０度回転させた状態を示す図である。図２Ａは、キャップが開けられた状態における発音容器の正面図である。図２Ｂは、図２Ａに示す発音容器を、中心軸のまわりに９０度回転させた状態を示す図である。図２Ｃは、図１Ｂに示す発音容器を、中心軸のまわりにさらに９０度回転させた状態を示す図である。
【００１３】
これらの図に示されるように、本実施形態の発音容器は、容器２と、キャップ３とを備える。キャップ３は、後述するように、発音機能を有する。以下の説明において、キャップ３を「発音キャップ３」と称することがある。容器２は、図２Ａに示すように、開口部２１１ａを有する。キャップ３は、第１スイッチ３１と、第２スイッチ３２（図１Ｂおよび図１Ｃ参照）とを備える。第１スイッチ３１は、キャップ３が閉じられたことを検知して第１信号を出力する第１センサとして機能する。第２スイッチ３２は、キャップ３が開けられたことを検知して第２信号を出力する第２センサとして機能する。
【００１４】
これらの図には示されていないが、発音容器は、さらに、第１スイッチ３１（第１センサ）および第２スイッチ３２（第２センサ）に接続された電子回路と、当該電子回路に接続された発音部材とを備える。発音部材は、例えば圧電スピーカなどの、電気信号を音波に変換するデバイスであり得る。発音容器はまた、第１センサ、第２センサ、電子回路、および発音部材に電力を供給するバッテリ（二次電池）も備える。電子回路、発音部材、およびバッテリは、キャップ３の内部に収容されている。電子回路は、第１スイッチ３１および第２スイッチ３２から出力された信号を受けて、発音部材に、予め設定された音声を発声させる。電子回路は、第１スイッチ３１から第１信号が出力されたとき、発音部材に第１音声を発声させる。また、第２スイッチ３２から第２信号が出力されたとき、発音部材に第１音声とは異なる第２音声を発声させる。このような動作により、キャップ３の開閉時のそれぞれで異なる音声を発音部材から発することができる。この動作の詳細については後述する。
【００１５】
図３から図８Ｂを参照しながら、本実施形態における発音容器の構造をより詳細に説明する。
【００１６】
図３は、発音キャップ３が閉じた状態における発音容器の上面図である。図４Ａは、図３に示す発音容器のＡ−Ａ線断面図である。図４Ｂは、図３に示す発音容器のＢ−Ｂ線断面図である。図５Ａは、図４Ｂにおける円５Ａで囲まれる部分を拡大して示す図である。図５Ｂは、図４Ｂにおける円５Ｂで囲まれる部分を拡大して示す図である。図６は、キャップ３が開いた状態における発音容器の上面図である。図７Ａは、図６に示す発音容器のＡ−Ａ線断面図である。図７Ｂは、図６に示す発音容器のＢ−Ｂ線断面図である。図８Ａは、図７Ｂにおける円８Ａで囲まれる部分を拡大して示す図である。図８Ｂは、図７Ｂにおける円８Ｂで囲まれる部分を拡大して示す図である。
【００１７】
図７Ａおよび図７Ｂに示されるように、本実施形態における容器２は、開口部２１１ａを規定する先端部２１と、先端部２１の外周に設けられた容器ネジ部２１２とを備える。容器２の先端部２１は、キャップ３が装着される部位であり、「装着部」とも称する。容器２の先端部２１は、概略的に円筒形状を有する。キャップ３は、容器２の先端部２１の周囲に取り付けられたキャップ本体１１と、キャップ本体１１に接続された蓋体１２と、蓋体１２を覆うカバー３４とを備える。キャップ本体１１、蓋体１２、およびカバー３４は、例えばプラスチックなどの硬質の材料によって形成され得る。蓋体１２は、容器ネジ部２１２に螺合する蓋体ネジ部１２３を内部に有する。蓋体１２が容器２の先端部２１を覆った状態でキャップ３を回転することにより、蓋体１２と容器２の先端部２１とが締め付けられる。これにより、容器２の密閉状態が保たれる。
【００１８】
本実施形態におけるキャップ本体１１は、概略的に円環形状を有する。キャップ本体１１は、使用時に容器２から離れない態様で容器２の先端部２１の周囲に取り付けられている。このため、キャップ３を空けた状態において、キャップ３を引っ張ったとしても、蓋体１２およびカバー３４が容器２から容易に分離することはない。
【００１９】
図４Ｂおよび図７Ｂに示すように、電子回路３５、発音部材３６、およびバッテリ３７は、カバー３４と蓋体１２との間の空間に配置されている。電子回路３５、発音部材３６、バッテリ３７、およびスイッチ３１、３２は、配線３８を介して互いに接続されている。第１スイッチ３１および第２スイッチ３２は、カバー３４の下端部に取り付けられている。第２スイッチ３２は、キャップ本体１１と蓋体１２との接続部１３（図８Ｂ参照）の近傍に位置している。第１スイッチ３１は、カバー３４の下端部のうち、第２スイッチ３２の反対側の部位に位置している。第１スイッチ３１および第２スイッチ３２の各々は、例えばマイクロスイッチなどの押ボタン式のスイッチである。各スイッチは、一定以上の力で押されたときにオンになる。
【００２０】
第１スイッチ３１は、蓋体１２が容器２の先端部２１を覆った状態で回転されることによって蓋体１２と容器２との締め付けが完了したときにオンになる（図４Ｂおよび図５Ａ参照）。このとき、第１スイッチ３１は、キャップ本体１１に接触する。より具体的には、第１スイッチ３１は、キャップ本体１１における外側に突出した突起部１１６に接触して押されることによってオンになる。このように、第１スイッチ３１は、蓋体１２によって開口部２１１ａが閉状態になったときにオンになる位置に配置される。ここで「閉状態」とは、蓋体１２と容器２との締め付けが完全に行われた状態を指す。第１スイッチ３１は、蓋体１２と容器２との締め付けが不完全な状態、および蓋体１２が持ち上げられて開口部２１１ａが露出している状態（図８Ａ参照）では、オフになる。第１スイッチ３１は、オンの状態になると、第１信号を出力する。
【００２１】
一方、第２スイッチ３２は、蓋体１２が開けられたときにキャップ本体１１に接触して押されることによってオンになる。本実施形態においては、キャップ３をある角度以上に持ち上げて手を離すと、図７Ｂに示す状態で維持される。この状態において、第２スイッチ３２がオンになる（図８Ｂ参照）。このように、第２スイッチ３２は、開口部２１１ａが開放され、蓋体１２が所定の位置に達したとき、オンになる。第２スイッチ３２は、オンの状態になると、第２信号を出力する。
【００２２】
図９は、第１スイッチ３１、第２スイッチ３２、電子回路３５、発音部材３６、およびバッテリ３７の電気的な接続関係を模式的に示すブロック図である。図示されるように、電子回路３５は、制御回路３５２と、タイマー回路３５１と、音声データを記録するメモリ３５３と、デジタル／アナログ（Ｄ／Ａ）変換器３５４と、発音部材３６を駆動するための増幅器３５５と、電源回路３５６とを含む。制御回路３５２は、第１スイッチ３１、第２スイッチ３２、タイマー回路３５１、メモリ３５３、Ｄ／Ａ変換器３５４、および増幅器３５５に電気的に接続されている。
【００２３】
制御回路３５２は、第１スイッチ３１から出力される第１信号と、第２スイッチ３２から出力される第２信号と、タイマー回路３５１から出力される時間情報とに基づいて、再生すべき音声の内容および発音のタイミングを決定する。メモリ３５３は、再生される音声データ、および制御回路３５２によって実行されるプログラムなどの各種のデータを格納する。制御回路３５２は、メモリ３５３に予め記録された音声データから、再生すべき音声データを決定し、発音部材３６に当該音声データに基づく音声を発声させる。より具体的には、制御回路３５２の制御に従い、Ｄ／Ａ変換器３５４が、決定された音声データをアナログ信号に変換する。増幅器３５５は、当該アナログ信号を増幅して発音部材３６を駆動する。これにより、発音部材３６から音声が発せられる。
【００２４】
通常の使用態様では、発音容器のキャップ３は締められていることが多い。容器２の内部に変質し易い物質（例えば医薬品）が収容される場合、変質を防ぐために、内容物を取り出すための短い時間を除き、キャップ３を締めることが好ましいからである。したがって、第１スイッチ３１に関しては、オフである期間よりもオンである期間の方が長いと考えられる。逆に、第２スイッチ３２に関しては、オンである期間よりもオフである期間の方が長いと考えられる。一般に、制御回路３５２の端子に電圧が印加された状態が長いほど、バッテリ３７の消耗が大きくなる。そこで、第１スイッチ３１は、オンのタイミングでは制御回路３５２に通電せず、オフのタイミングにおいて制御回路３５２に通電するように構成され得る。逆に、第２スイッチ３２は、オフのタイミングでは制御回路３５２に通電せず、オンのタイミングにおいて制御回路３５２に通電するように構成され得る。制御回路３５２は、第１スイッチ３１から供給される電流または電圧の低下を検知することにより、閉状態になったことを示す上記の第１信号を検知することができる。制御回路３５２はまた、第２スイッチ３２から供給される電流または電圧の増加を検知することにより、開状態になったことを示す上記の第２信号を検知することができる。
【００２５】
このように、本実施形態における第１スイッチ３１は、蓋体１２によって開口部２１１ａが閉状態になったことを検知して第１信号を電子回路３５に出力する。一方、第２スイッチ３２は、開口部２１１ａが開放され、蓋体１２が所定の位置に達したことを検知して第２信号を電子回路３５に出力する。電子回路３５は、第１信号を受けると、発音部材３６に、第１音声を発声させる。電子回路３５はまた、第２信号を受けると、発音部材３６に、第２音声を発声させる。
【００２６】
発音部材３６は、例えば圧電スピーカであり得る。キャップ３のカバー３４の上面３４１は、例えばドーム形状を有する。図２Ｃに示すように、カバー３４の上面３４１は、音波を通過させ易くするための複数の孔３３を有していてもよい。また、カバー３４の上面３４１は、振動板として機能してもよい。その場合、カバー３４の上面３４１は、発音部材３６の動作時に振動し、発音部材３６から発せられた音声の音量を増加させる。また、カバー３４と蓋体１２との間の空間が、発音部材３６から発せられた音声を共鳴させ、音声の音量を増加させる構造を有していてもよい。
【００２７】
圧電スピーカは薄型で消費電力も小さく、発音ボトルの目的に適した特徴を持っている。しかし、それ単体では音量が小さく、再生音域も狭い。このため、聞き取りやすい音声を発声させることは難しい。一般的には、圧電スピーカ本体よりも面積の大きい振動板を取り付けたり、共鳴箱に共鳴させたりする方法により、良好な音質を得ることが行われている。しかし、そのような構成では、振動板または共鳴箱などの追加部品が必要となり、コストの上昇または組み立て工程の煩雑化などを招くおそれがある。そこで、キャップ３のカバー３４と一体的に成形された振動板に圧電スピーカを取り付けた構造を採用してもよい。そのような構造により、圧電スピーカを単体で用いる場合よりも良好な音質を得ることができる。
【００２８】
図１０Ａは、カバー３４の上面３４１が振動板として機能する実施形態を模式的に示す断面図である。図１０Ｂは、この実施形態におけるキャップ３の上面図である。この実施形態では、振動板として機能するカバー３４の上面３４１が、振動板サポート３４２を介してカバー３４の外周部に固定されている。振動板サポート３４２は、平面視において円形状を有し、柔軟性をもつ材料で構成されている。発音部材３６は、例えば圧電セラミックスによる薄板であり、金属板３９を介してカバー３４の上面３４１の裏面に配置されている。発音部材３６と金属板３９とによって圧電スピーカが構成されている。このような構造により、カバー３４の上面３４１は、カバー３４の外周部とは独立して振動することができる。カバー３４の上面３４１（振動板）および振動板サポート３４２は、カバー３４と一体に成形され得る。これにより、部品点数の増加によるコストの上昇、および製造工程の増加を抑えることができる。
【００２９】
次に、発音部材３６から発声される音声の例を説明する。以下の説明では、発音容器が錠剤などの内服薬用の容器であるものとする。
【００３０】
前述のように、第１スイッチ３１は、発音容器のキャップ３が開いた状態からキャップ３が閉じた状態になったことを検出すると、第１信号を出力する。電子回路３５は、第１信号を受けると、第１音声を発音部材３６から発声させる。この第１音声は、例えば、次回の服薬タイミングを通知する音声、およびキャップ３が正常に締まったことを通知する音声の少なくとも一方を含み得る。次回の服薬タイミングを通知する音声は、例えば、「次回の服薬は８時間後です。」または「次回の服薬は明日の午前７時です。」といった音声であり得る。キャップ３が正常に締まったことを通知する音声は、例えば「キャップが正常に締まりました。」といった音声であり得る。キャップ３が締められたときにこのような音声が再生されることにより、服用者の安心感を向上させることができる。
【００３１】
一方、第２スイッチ３２は、発音容器のキャップ３が閉じた状態からキャップ３が開いた状態になったことを検出すると、第２信号を出力する。電子回路３５は、この第２信号を受けると、第２音声を発音部材３６から発声させる。この第２音声は、例えば、容器内の内服薬の名称および服薬量の少なくとも一方を示す音声を含み得る。例えば、「この薬は○○です。」といった音声、または「○錠服用してください。」といった音声が第２音声として再生され得る。キャップ３が開けられたときにこのような音声が再生されることにより、使用者は、服用すべき薬の種類または量を誤ることなく、安心して服用することができる。
【００３２】
図９に示すように、本実施形態における電子回路３５は、計時機能を有するタイマー回路３５１を含む。電子回路３５は、第２信号が出力されてから所定の時間が経過しても第１信号が出力されない場合、発音部材３６に、第１音声および第２音声とは異なる第３音声を発生させてもよい。この場合、キャップ３が開けられてから所定の時間が経過してもキャップ３が正常に締められていないと考えられる。そこで、電子回路３５は、第３音声として、例えばキャップを正常に締めることを促す音声を発音部材３６に発生させてもよい。例えば「キャップを確実に締めてください。」といった音声が第３音声として再生され得る。このような音声が再生されることにより、キャップ３の締め忘れを防止することができる。上記の所定の時間は、医薬品の種類に応じて適切な時間、例えば数十秒から数分程度の時間に設定され得る。
【００３３】
第１音声を示す第１音声データ、第２音声を示す第２音声データ、および第３音声を示す第３音声データは、予めメモリ３５３に記録されている。これらの音声データを、事後的に更新できるようにしてもよい。例えば、発音キャップ３が録音機能を有していてもよい。そのような発音キャップ３は、録音のための操作部およびマイクを備え得る。ユーザが自己の音声を録音して上記の各音声データを更新できるようにすることにより、ユーザの嗜好に合った音声アナウンスを実現できる。例えば、子供のいたずらを防止するために家族の声で注意喚起のためのアナウンスをすることもできる。
【００３４】
本実施形態における発音容器は、ネットワークに接続して外部の機器と通信できるようにしてもよい。図１１Ａは、そのような通信を実行する電子回路３５の構成を示す図である。この例における電子回路３５は、外部機器との間で無線通信を行う通信回路３５７を含む。外部機器は、例えばスマートフォン、タブレットコンピュータ、クラウド上のサーバコンピュータなどの情報機器であり得る。電子回路３５は、通信回路３５７を介して外部機器から上記の第１から第３音声データの少なくとも１つを変更すべき旨の指令を受けることができる。そのような指令を受けたとき、電子回路３５は、メモリ３５３上の音声データを更新する。このような形態によれば、発音部材３６から発声させる音声を事後的に変更することができる。
【００３５】
発音容器は、上記の各例とは異なる機能を備えていてもよい。例えば、カバー３４がマイクを備えている場合、電子回路３５は、声紋認証の機能を備えていてもよい。声紋認証を行う場合、電子回路３５は、第２スイッチ３２を介して容器が開封されたことを検出すると、例えば、服用しようとしている人が容器内の薬剤が処方された本人か否かを問い合せる音声を発音部材３６から発声させる。その音声に対して返答があった場合、電子回路３５は、その声の周波数を解析することにより、本人の声に合致するかを判断する。本人の声に合致する場合には、薬剤の名称または分量を示す音声をアナウンスし、合致しない場合には、注意喚起を行う音声をアナウンスしてもよい。
【００３６】
上記の他にも、例えば、前回キャップ３が閉じられてから予め設定された時間が経過しても第２信号が出力されない場合、電子回路３５は、服用を促す音声を発音部材３６から発生させてもよい。一例として、８時間ごとに服用すべき薬剤においては、第１の時間は８時間に設定され得る。このような音声を発した後もキャップ３が開かれない場合、同様の音声を、例えば一定時間毎に繰り返し発してもよい。このような機能を備えることにより、薬剤を服用し忘れることを防止し易くなる。
【００３７】
本実施形態の発音容器における蓋体１２およびカバー３４は、互いに取り外しができない態様で互いに嵌合されている。蓋体１２およびカバー３４は、製造工程においては独立した部材であるが、流通時には、破壊しない限り取り外しができないように構成されている。このため、本実施形態の発音容器は、医薬品の偽造を防止する目的にも有用である。発音機能を有するカバー３４が蓋体１２に取り付けられていること、およびカバー３４の発音部材３６から、薬品メーカによって設定された音声が発せられることが、その医薬品が正規品であることの証明となり得る。
【００３８】
次に、発音容器の他の構成例を説明する。
【００３９】
発音キャップ３は、誤ってスイッチが作動することを防止する構造または機能を備えていてもよい。図７Ｂに示す構成では、カバー３４の先端の第１スイッチ３１が、キャップ３の下端から突出している。このため、使用者がキャップ３を触ったときに、誤って第１スイッチ３１を押してしまう可能性がある。このような誤操作に伴う誤作動を防止するために、以下の（１）または（２）の構成を適用してもよい。
【００４０】
（１）構造による誤作動の防止
第１スイッチ３１の先端部がキャップ３の下端から突出しない構造にする。すなわち、キャップ３の軸方向において、第１スイッチ３１の先端が、キャップ３の下端と同じ位置、またはより奥に位置するように構成する。このような構造を採用することにより、キャップ３を開封した状態では第１スイッチ３１を押すことができないため、誤作動を防止できる。この場合、例えば図１１Ｂに示すように、キャップ本体１１に突起１１７が設けられる。キャップ３を閉じたとき、突起１１７によって第１スイッチ３１が押されることで、閉状態を検知できる。
【００４１】
（２）電子回路による誤作動の防止
電子回路３５は、第２スイッチ３２によってキャップ３の開封が検出されている間は、第１スイッチ３１から出力される信号を無視するように構成されていてもよい。これにより、キャップ３が開封されている状態で、不用意に第１スイッチ３１が操作されても、誤作動を防止することができる。電子回路３５はまた、第２スイッチ３２が押されている状態においては第１スイッチ３１からの信号を無視するように構成され得る。そのような構成により、第２スイッチ３２が押されている状態において、第１スイッチ３１が不用意に押された場合でも、誤作動を防止できる。
【００４２】
以上のような誤作動を防止するための機構は、第１スイッチ３１に限らず第２スイッチ３２について適用してもよい。例えば、第２スイッチ３２の先端部がキャップ３の下端から突出しない構造を採用し、かつキャップ本体１１に、第２スイッチ３２を押すための突起を設けてもよい。あるいは、第１スイッチ３１が押されている状態では第２スイッチ３２からの信号を無視するように電子回路３５が構成されていてもよい。
【００４３】
以上の実施形態において、第１センサおよび第２センサは、いずれも機械式のスイッチによって実現されている。しかし、本発明はこのような構成に限定されない。第１センサおよび第２センサは、例えば光、音、明るさ、温度その他の物理的変化を検知してキャップ３の開状態または閉状態を検知するように構成されていてもよい。
【００４４】
以上の実施形態の発音容器からカバー３４を取り外したキャップ付き容器は、例えば特許文献１に開示されたキャップ付き容器と同様の構造を備え得る。以下、発音容器からカバー３４を取り外したキャップ付き容器の具体例を説明する。
【００４５】
図１２は、キャップが容器の開口部を閉塞した状態を示すキャップ付き容器の側面図である。図１３は、キャップによる開口部の閉塞が解除された状態を示すキャップ付き容器の側面図である。図１４は、蓋体が容器の開口部から離反された状態を示すキャップ付き容器の側面図である。
【００４６】
キャップ付き容器は、図１２から図１４に示すように、開口部２１１ａを有する容器２と、容器２の開口部２１１ａを閉じるべく容器２に装着されるキャップ１とを備える。キャップ付き容器は、キャップ１が容器２に対して回転されることにより、開口部２１１ａを開放できない閉位置（図１２）と、開口部２１１ａを開放できる開位置（図１３および図１４）とに、キャップ１の回転位置を変更できるように構成されている。
【００４７】
キャップ１において、開放されている側、即ち、図１２から図１４における下方側（下端部）を軸線方向および螺旋方向の「先端側」という。図１２から図１４における上方側（上端部）を軸線方向および螺旋方向の「基端側」という。容器２において、開口部２１１ａ側、即ち、図１２から図１４における上方側（上端部）を軸線方向および螺旋方向の「先端側」という。図１２から図１４における下方側（下端部）を軸線方向および螺旋方向の「基端側（基端部）」という。
【００４８】
図１５は、キャップが容器の開口部を閉塞した状態を示すキャップ付き容器の部分断面図である。図１６は、キャップによる開口部の閉塞が解除された状態を示すキャップ付き容器の部分断面図である。図１７は、キャップ本体に蓋体が嵌合した状態を示すキャップの縦断面図である。図１８は、蓋体がキャップ本体から離れた状態を示すキャップの底面図である。図１９は、図１８におけるＶＩＩＩ−ＶＩＩＩ線断面図である。
【００４９】
キャップ１は、図１２から図１９に示すように、容器２と係合するキャップ本体１１と、容器２と係合し、容器２の開口部２１１ａを閉塞するための蓋体１２とを備えている。キャップ１は、蓋体１２が容器２の開口部２１１ａを開閉できるように、キャップ本体１１と蓋体１２とを接続する接続部１３も備えている。
【００５０】
キャップ１は、容器２に対して回転されることにより、開口部２１１ａを閉じるべく蓋体１２が容器２と係合する閉位置（図１２の位置）と、開口部２１１ａを開くべく蓋体１２が容器２との係合を解除する開位置（図１３および図１４の位置）とに位置変更可能に構成されている。キャップ１は、本実施形態において、硬質樹脂（例えば、プラスチック）で形成されている。
【００５１】
キャップ本体１１は、円筒状に形成される基体部１１１と、蓋体１２と嵌合する嵌合部（以下、「本体嵌合部」ともいう）１１２とを備えている。キャップ本体１１は、容器２と係合すべく、容器２と螺合する雌ネジ形状のネジ部（以下、「本体ネジ部」ともいう）１１３を、基体部１１１の内周部に備えている。
【００５２】
なお、キャップ本体１１（およびその各構成）において、「軸線方向」は、キャップ１、キャップ本体１１、基体部１１１および本体ネジ部１１３の軸線方向をいい、「径方向」は、キャップ１、キャップ本体１１、基体部１１１および本体ネジ部１１３の径方向をいい、「周方向」は、キャップ１、キャップ本体１１、基体部１１１および本体ネジ部１１３の周方向をいい、「螺旋方向」は、本体ネジ部１１３の螺旋方向（ネジ山が延設される方向）をいう。
【００５３】
基体部１１１は、軸線方向の先端側（下方側）にスリット１１１ａを備えており、これにより、軸線方向の先端側（下方側）が内周壁１１１ｂと外周壁１１１ｃとの二重構造で形成されている。基体部１１１は、内周壁１１１ｂが径方向に弾性変形可能に構成されている。
【００５４】
本体嵌合部１１２は、基体部１１１における軸線方向の基端部（上端部）から該軸線方向（上方向）に向けて凸状となるように突出して形成されている。本体嵌合部１１２は、径方向で接続部１３と対面する位置に配置されている。即ち、本体嵌合部１１２は、接続部１３に対して、円筒状の基体部１１１における１８０度反対の位置に配置されている。本体嵌合部１１２は、キャップ１が閉位置に位置する際に、蓋体１２と嵌合する。
【００５５】
本体ネジ部１１３は、径方向内方に突出する一対の突出部（以下、「本体突出部」ともいう）１１３ａ，１１３ｂを有する。一対の本体突出部１１３ａ，１１３ｂは、径方向で互いに対面するように、即ち、円筒状の基体部１１１における１８０度反対の位置にそれぞれ配置されている。
【００５６】
より具体的には、一対の本体突出部１１３ａ，１１３ｂのうち、一方の本体突出部（以下、「第１本体突出部」ともいう）１１３ａは、径方向において接続部１３と対面する位置で、基体部１１１の内周面に形成されている。
【００５７】
他方の本体突出部（以下、「第２本体突出部」ともいう）１１３ｂは、径方向において、第１本体突出部１１３ａと対向するように、基体部１１１の内周面に形成されている。換言すれば、第２本体突出部１１３ｂは、基体部１１１の外周面に形成される接続部１３の位置に対応して、基体部１１１の内周面から径方向内方に突出して形成されている。
【００５８】
第１本体突出部１１３ａは、二重構造である基体部１１１の軸線方向の先端側（下方側）に形成されている。第２本体突出部１１３ｂは、基体部１１１の軸線方向の基端側（上方側）に形成されている。第１本体突出部１１３ａおよび第２本体突出部１１３ｂは、キャップ１が容器２に取り付けられる際に、容器２と摺接するように構成される。
【００５９】
蓋体１２は、円筒状に形成される蓋本体部１２１と、本体嵌合部１１２と嵌合する嵌合部（以下、「蓋体嵌合部」ともいう）１２２と、容器２と係合すべく、容器２と螺合する雌ネジ形状のネジ部（以下、「蓋体ネジ部」ともいう）１２３とを備える。蓋体１２は、蓋本体部１２１の基端部（上端部）を閉塞し且つ容器２の開口部２１１ａを覆う蓋部１２４と、蓋部１２４の内側に配置され、容器２の開口部２１１ａを封止する弾性部（パッキン）１２５とを備える。
【００６０】
蓋体１２において、「軸線方向」は、キャップ１、蓋体１２、蓋本体部１２１および蓋体ネジ部１２３の軸線方向をいう。「径方向」は、キャップ１、蓋体１２、蓋本体部１２１および蓋体ネジ部１２３の径方向をいう。「周方向」は、キャップ１、蓋体１２、蓋本体部１２１および蓋体ネジ部１２３の周方向をいう。「螺旋方向」は、蓋体ネジ部１２３の螺旋方向（ネジ山が延設される方向）をいう。
【００６１】
蓋体嵌合部１２２は、凸状の本体嵌合部１１２と嵌合すべく、蓋本体部１２１における軸線方向の下端部に凹状となるように形成されている。蓋体嵌合部１２２は、径方向において接続部１３と対面する位置に配置されている。即ち、蓋体嵌合部１２２は、接続部１３に対して、円筒状の蓋本体部１２１における１８０度反対の位置に配置されている。蓋体嵌合部１２２は、キャップ１が閉位置に位置する際に、本体嵌合部１１２と嵌合する。
【００６２】
蓋体ネジ部１２３は、本体ネジ部１１３と同じリードとなるように形成されている。
【００６３】
接続部１３は、本実施形態においては、ヒンジ機構である。なお、接続部１３は、ヒンジ機構に限られず、例えば、可撓性または弾性を有する紐状体でもよい。接続部１３は、キャップ本体１１と蓋体１２とを接続し、蓋体１２がキャップ本体１１に対して変位（接離）できる構成であればよい。
【００６４】
次に、容器２の構成を説明する。図２０は、容器の平面図である。図２１は、容器の側面図である。図２２は、図２１に示すＸＩ−ＸＩ線における部分断面図である。図２３は、図２１における容器の位置を軸線周りに９０度ずらした状態における容器の側面図である。図２４は、図２３における容器の位置を軸線周りに９０度ずらした状態における容器の側面図である。図２５は、図２４に示すＸＩＶ−ＸＩＶ線における部分断面図である。
【００６５】
容器２は、図１４から図１６および図２０から図２５に示すように、キャップ１を装着する装着部２１と、装着部２１よりも大径に形成され、内容物を収容可能な容器本体２２とを備える。装着部２１の軸線方向における基端部（下端部）と、容器本体２２の軸線方向における上端部２２１とが連結して構成されている。容器２は、本実施形態において、硬質樹脂（例えば、プラスチック）で形成されている。
【００６６】
装着部２１は、円筒状に形成され且つ上端部に開口部２１１ａを配置している装着部本体２１１と、装着部本体２１１の外周部に配置され、複数条の雄ネジ部を有するネジ部（以下、「容器ネジ部」ともいう）２１２とを備えている。装着部２１は、第１案内部２１３と、第２案内部２１４と、係止部（以下、「容器係止部」ともいう）２１６とを備える。第１案内部２１３は、キャップ１を装着部２１に装着する際に、キャップ１を装着位置まで案内する。第２案内部２１４は、キャップ本体１１と蓋体１２とを離反させることで、本体嵌合部１１２と蓋体嵌合部１２２との嵌合を解除させるべく、キャップ１を案内する。容器係止部２１６は、キャップ１が開位置から緩め方向に回転されて容器２から離脱されることを防止すべく、第１本体突出部１１３ａを係止する。
【００６７】
容器２（およびその各構成）において、「軸線方向」は、容器２、装着部２１、装着部本体２１１および容器ネジ部２１２の軸線方向をいう。「径方向」は、容器２、装着部２１、装着部本体２１１および容器ネジ部２１２の径方向をいう。「周方向」は、容器２、装着部２１、装着部本体２１１および容器ネジ部２１２の周方向をいう。「螺旋方向」は、容器ネジ部２１２の螺旋方向（ネジ山が延設される方向）をいう。
【００６８】
容器ネジ部２１２は、本体ネジ部１１３と螺合すると共に、蓋体ネジ部１２３と螺合する。図１２に示すように、キャップ１が閉位置に位置する際には、蓋体ネジ部１２３が容器ネジ部２１２と螺合している。このため、開口部２１１ａを開放できない状態となる。図１３および図１４に示すように、キャップ１が開位置に位置する際には、蓋体ネジ部１２３が容器ネジ部２１２との螺合を解除している。このため、開口部２１１ａを開放できる状態となる。
【００６９】
本実施形態において、容器ネジ部２１２は、４条の雄ネジ部２１２ａから２１２ｄを含む。以下、４条の雄ネジ部２１２ａから２１２ｄのそれぞれを、第１容器ネジ部２１２ａ、第２容器ネジ部２１２ｂ、第３容器ネジ部２１２ｃ、および第４容器ネジ部２１２ｄという。第１容器ネジ部２１２ａから第４容器ネジ部２１２ｄのうちの１つは、第１案内部２１３と一体に形成されていることが望ましい。本実施形態では、第２容器ネジ部２１２ｂが第１案内部２１３と一体に形成されている。
【００７０】
各容器ネジ部２１２ａから２１２ｄは、円筒状の装着部本体２１１の外周面において、位相が９０度ずれた状態で形成されている。各容器ネジ部２１２ａから２１２ｄには、その上端部からキャップ１が螺合可能である。したがって、本実施形態では、４条の容器ネジ部２１２ａから２１２ｄの上端部に対応して、装着部本体２１１の４カ所の位置でキャップ１を螺合させることができる。
【００７１】
第１案内部２１３は、キャップ１を容器２に装着する際に、キャップ１を装着位置である閉位置に案内する。具体的には、第１案内部２１３は、キャップ本体１１における第１本体突出部１１３ａを案内することによって、キャップ１を閉位置まで案内する。
【００７２】
第１案内部２１３は、装着部本体２１１の外面の一部２１１ｂと、装着部本体２１１から突出する環状突起部２１３１と、第２容器ネジ部２１２ｂと環状突起部２１３１とを連結する連結部２１３２とを含む。
【００７３】
図２１、図２３および図２４に示すように、環状突起部２１３１は、軸線方向において、容器ネジ部２１２から離れた位置に形成されている。これにより、環状突起部２１３１と容器ネジ部２１２との間には、円筒状の装着部本体２１１の外面が露出した状態となっている。
【００７４】
この装着部本体２１１の円筒形状における外面部分２１１ｂには、容器ネジ部２１２が形成されていない。このため、キャップ１の本体ネジ部１１３における第１本体突出部１１３ａおよび第２本体突出部１１３ｂは、容器ネジ部２１２に螺合した後、外面部分２１１ｂに到達したときに、螺合が解除されて空転可能になる。
【００７５】
環状突起部２１３１は、容器ネジ部２１２のような螺旋状ではなく、装着部本体２１１の円周方向に対して平行となるように形成されている。
【００７６】
環状突起部２１３１は、図２１、図２３および図２４に示すように、先端側（上方側）の面（以下、「第１案内面」ともいう）２１３１ａと、基端側（下方側）の面（以下、「第２案内面」ともいう）２１３１ｂとにより、第１本体突出部１１３ａと第２本体突出部１１３ｂを案内する。
【００７７】
図２３、図２４に示すように、環状突起部２１３１は、中途部が分断されており、第１本体突出部１１３ａを環状突起部２１３１よりも先端側（上方側）の部分から基端側（下方側）の部分へと移動させることができる。環状突起部２１３１の周方向における端部には、第１案内面２１３１ａによって案内される第１本体突出部１１３ａを環状突起部２１３１よりも基端側に案内するための案内面（以下、「第３案内面」という）２１３１ｃが形成されている。この第３案内面２１３１ｃは、図２１、図２３に示すように、螺旋方向の先端側から基端側へ向かうにつれて、軸線方向における先端側（上方側）から基端側（下方側）に向かって傾斜する傾斜面である。
【００７８】
連結部２１３２は、第２容器ネジ部２１２ｂの一方の面（上面）と、環状突起部２１３１の第１案内面２１３１ａとが連続的に繋がるように、第２容器ネジ部２１２ｂと第１案内面２１３１ａとを連結する連結面２１３２ａを有する。この連結面２１３２ａは、図２１に示すように、螺旋方向の先端側から基端側に向かうにつれて、軸線方向の基端側（下方側）に傾斜する傾斜面である。
【００７９】
第２案内部２１４は、キャップ１が閉位置から開位置に位置変更する際に、本体嵌合部１１２と蓋体嵌合部１２２との嵌合が解除されるべく、キャップ本体１１と蓋体１２とが離反するように、キャップ１を案内する。第２案内部２１４は、第１案内部２１３とともに、キャップ本体１１における第２本体突出部１１３ｂを案内することによって、キャップ１を開位置まで案内する。
【００８０】
第２案内部２１４は、第１案内部２１３に対して、円筒状の基体部１１１における１８０度反対の位置に配置されている。第２案内部２１４は、図２４に示すように、軸線方向において、第１案内部２１３における環状突起部２１３１と容器ネジ部２１２との間に形成されている。
【００８１】
第２案内部２１４は、第２本体突出部１１３ｂを先端側（上方側）に押し上げる押上部２１４ａと、押上部２１４ａによって押し上げられた第２本体突出部１１３ｂを支持する支持部２１４ｂと、支持部２１４ｂによって支持される第２本体突出部１１３ｂの位置を規制する位置規制部２１４ｃとを備える。
【００８２】
押上部２１４ａは、図２４に示すように、第１案内部２１３の第１案内面２１３１ａよりも先端側（上方側）に位置している。押上部２１４ａは、第１案内部２１３の第１案内面２１３１ａと支持部２１４ｂとを連結する湾曲面として構成される。本実施形態において、この押上部２１４ａは、所定の曲率半径を有する円弧状の湾曲面であるが、これに限定されるものではない。
【００８３】
支持部２１４ｂは、第１案内部２１３の第１案内面２１３１ａとほぼ平行な平坦面として構成される。支持部２１４ｂは、第２本体突出部１１３ｂの先端側の面である下面に当接することにより、第２本体突出部１１３ｂを支持する。
【００８４】
位置規制部２１４ｃは、螺旋方向において、支持部２１４ｂよりも先端側に位置している。位置規制部２１４ｃは、第２本体突出部１１３ｂが支持部２１４ｂに支持されている状態において、第２本体突出部１１３ｂが螺旋方向の先端側に移動しないように、第２本体突出部１１３ｂに当接する当接部として構成される。
【００８５】
容器係止部２１６は、軸線方向において、第１案内部２１３の環状突起部２１３１よりも基端側（下方側）に配置されている。容器係止部２１６は、キャップ１が開位置から緩め方向に回転される場合、螺旋方向の基端側（下方側）の面２１６ａで、螺旋方向にて第１本体突出部１１３ａを係止する。なお、容器係止部２１６の当該面（以下、「容器係止面」ともいう）２１６ａは、径方向に沿う平面状で且つ軸線方向に沿う平面状に形成されている。
【００８６】
図２１、図２２に示すように、容器係止部２１６の近傍位置に、装着部本体２１１の外面から径方向外方に突出する突起部２１７が形成されている。この突起部２１７は、キャップ１が閉位置から開位置へ、または、開位置から閉位置へと移動する際に、キャップ本体１１における本体ネジ部１１３の第１本体突出部１１３ａに接触しながらこれを通過させるためのものである。第１本体突出部１１３ａが突起部２１７を通過する際にこの突起部２１７に接触すると、基体部１１１の内周壁１１１ｂが弾性変形する。この状態で、第１本体突出部１１３ａが突起部２１７を通過すると、内周壁１１１ｂの弾性変形が解除され、内周壁１１１ｂは元の形状に復元する。
【００８７】
キャップ付き容器の使用者は、第１本体突出部１１３ａが突起部２１７に接触したときに、その抵抗を感じることができ、この弾性変形とその解除の際に生じる音を聞くことができる。これにより、使用者は、キャップ１の閉位置への移動が完了したことを、いわゆるクリック感として感じることができる。
【００８８】
同様に、図２４、図２５に示すように、第２案内部２１４の近傍位置にも、クリック感を演出するための突起部２１８が形成されている。
【００８９】
本実施形態に係るキャップ付き容器の構成については以上の通りである。次に、キャップ１を容器２に装着する方法、およびキャップ付き容器の使用方法について説明する。
【００９０】
キャップ１を容器２に装着するには、まず、キャップ１が容器２から離脱されている状態から、キャップ１を容器２の装着部本体２１１に被せた後、キャップ１を容器２に対して締め方向（右回り）に回転させる。これにより、容器ネジ部２１２と本体ネジ部１１３とがそれぞれの先端側から螺合し始める。具体的には、キャップ１における第１本体突出部１１３ａが容器ネジ部２１２に螺合し、次に第２本体突出部１１３ｂが容器ネジ部２１２に螺合する。このとき、本体嵌合部１１２と蓋体嵌合部１２２とは、嵌合した状態となっている。
【００９１】
第１本体突出部１１３ａと第２本体突出部１１３ｂとが容器ネジ部２１２に螺合した状態で、さらにキャップ１を締め方向に回転させると、第１本体突出部１１３ａによる容器ネジ部２１２との螺合が解除される。
【００９２】
より具体的には、第１本体突出部１１３ａが第１容器ネジ部２１２ａ、第３容器ネジ部２１２ｃ、および第４容器ネジ部２１２ｄに螺合していた場合には、その螺合が解除されたときに、容器ネジ部２１２と第１案内部２１３との間の領域で空転する。また、第１本体突出部１１３ａが第２容器ネジ部２１２ｂに螺合していた場合には、その螺合が解除され、第１本体突出部１１３ａは、第１案内部２１３の連結部２１３２に移行する。
【００９３】
さらにキャップ１を回転させると、第１本体突出部１１３ａは、空転しながら、第１案内部２１３の環状突起部２１３１に形成される第１案内面２１３１ａに摺接する。第１本体突出部１１３ａは、第１案内面２１３１ａに接触した状態で回転方向に移動する。このとき、第２本体突出部１１３ｂは、容器ネジ部２１２に螺合したままである。
【００９４】
キャップ１の回転が進むと、第１案内面２１３１ａに案内される第１本体突出部１１３ａは、移動の途中で、第２案内部２１４を乗り越えて通過し、第２案内部２１４の近傍に位置する突起部２１８も乗り越えて通過する。さらに、第１本体突出部１１３ａは、第３案内面２１３１ｃに移行する。第１本体突出部１１３ａは第３案内面２１３１ｃに案内されて、環状突起部２１３１よりも基端側（下方側）の領域へと向かう。さらに、容器ネジ部２１２に対する第２本体突出部１１３ｂの螺合が解除される。
【００９５】
キャップ１の回転がさらに進むと、第１本体突出部１１３ａは、容器係止部２１６を乗り越えて通過し、さらに、容器係止部２１６の近傍に位置する突起部２１７を乗り越えて通過する。さらに、第１本体突出部１１３ａは、環状突起部２１３１の第２案内面２１３１ｂに摺接して案内される。
【００９６】
また、このとき、第２本体突出部１１３ｂは、第１案内部２１３の第１案内面２１３１ａに接触して案内されている。第２本体突出部１１３ｂは、第１案内面２１３１ａに案内されながら、第２案内部２１４を乗り越えて通過し、第２案内部２１４の近傍に位置する突起部２１８も乗り越えて通過する。さらに、キャップ１の蓋体ネジ部１２３が容器ネジ部２１２に螺合する。
【００９７】
キャップ１をさらに回転させ、容器ネジ部２１２に対する蓋体ネジ部１２３の螺合が完了したとき、キャップ１の閉位置への移動が完了する（図１２の状態）。すなわち、キャップ１の容器２に対する装着が完了する。キャップ１が閉位置にあるとき、蓋体ネジ部１２３が容器ネジ部２１２に螺合していることによって、蓋体１２は開かないように容器２に固定される。このとき、図１５に示すように、第１本体突出部１１３ａと第２本体突出部１１３ｂとによって、第１案内部２１３の環状突起部２１３１を挟持した状態になっている。
【００９８】
次に、キャップ付き容器の使用方法（キャップ１の開閉方法）について説明する。
【００９９】
まず、閉位置から開位置へと移動させるために、キャップ１を容器２に対して緩め方向（左方向）に回転させる。そうすると、キャップ本体１１の基体部１１１に形成される本体ネジ部１１３の第１本体突出部１１３ａは、第１案内部２１３の第２案内面２１３１ｂに接触して案内される。また、本体ネジ部１１３における第２本体突出部１１３ｂは、第１案内部２１３の第１案内面２１３１ａに接触して案内される。
【０１００】
その後、第１本体突出部１１３ａは、容器係止部２１６の近傍位置にある突起部２１７に接触する。第２本体突出部１１３ｂは、第２案内部２１４の近傍位置にある突起部２１８に接触する。
【０１０１】
この状態でさらにキャップ１を緩め方向に回転させると、第１本体突出部１１３ａは、突起部２１７を乗り越えて通過する。第２本体突出部１１３ｂは、突起部２１８を乗り越えて通過する。
【０１０２】
その後、第２本体突出部１１３ｂは、第２案内部２１４における押上部２１４ａに接触する。キャップ１の回転により、第２本体突出部１１３ｂは、湾曲形状の押上部２１４ａに案内されて支持部２１４ｂへと押し上げられる。このように、第２本体突出部１１３ｂが押上部２１４ａによって押し上げられることによって、キャップ本体１１において接続部１３が形成されている部分が第１案内部２１３から離れるように押し上げられる（図１３、図１４参照）。このとき、第２本体突出部１１３ｂは、蓋体１２における軸線方向の先端側の面、すなわち、下面が支持部２１４ｂによって支持されることになる。これによって、キャップ１の開位置への移動が完了する。
【０１０３】
キャップ１が開位置に移動したとき、蓋体ネジ部１２３の容器ネジ部２１２への螺合が解除される。また、キャップ１が開位置にあるとき、第１本体突出部１１３ａは、第１案内部２１３の第２案内面２１３１ｂに接触したままの状態である。すなわち、キャップ１を閉位置から開位置へと移動させたときに、第１本体突出部１１３ａは、常に第２案内面２１３１ｂに接触しており、容器２における軸線方向の先端側（上方側）に移動しないように規制される。同様に、この第１本体突出部１１３ａと同じ位置に形成される、キャップ本体１１の本体嵌合部１１２に関しても、軸線方向の先端側（上方側）に移動しないように規制される。
【０１０４】
一方、第２本体突出部１１３ｂは、第２案内部２１４における押上部２１４ａによって容器２における軸線方向の先端側（上方側）に移動するため、この第２本体突出部１１３ｂと同じ位置にある接続部１３も軸線方向の先端側（上方）に移動する。また、キャップ１が緩め方向に回転させられることで、蓋体ネジ部１２３と容器ネジ部２１２との螺合関係により、蓋体１２には、キャップ本体１１から離れるように、軸線方向の力（下方から上方への力）が作用する。
【０１０５】
このような状態において、キャップ１が開位置に移動したとき、すなわち、第２本体突出部１１３ｂが第２案内部２１４に位置したとき、蓋体ネジ部１２３と容器ネジ部２１２との螺合が解除されるとともに、キャップ本体１１における本体嵌合部１１２と蓋体１２における蓋体嵌合部１２２との嵌合が解除され、蓋体１２がキャップ本体１１から離反可能になる（図１３参照）。
【０１０６】
なお、この状態において、キャップ本体１１における第１本体突出部１１３ａは、キャップ１の緩め方向にこれ以上移動しないように、容器係止部２１６の容器係止面２１６ａによって係止される。
【０１０７】
蓋体１２を閉じて容器２の開口部２１１ａを閉塞するには、まず、蓋体１２の蓋体嵌合部１２２を容器本体２２の本体嵌合部１１２に嵌合させる。次に、キャップ１を締め方向（右方向）に回転させて、開位置から閉位置へと移動させる。
【０１０８】
以上説明した本実施形態におけるキャップ付き容器によれば、キャップ１が閉位置から開位置に位置変更する際に、キャップ本体１１を案内する第２案内部２１４を備えている。これにより、キャップ１が閉位置から開位置に位置変更すると、第２案内部２１４がキャップ本体１１を案内するため、キャップ本体１１と蓋体１２とが離反する。したがって、キャップ１が開位置に位置すると、蓋体嵌合部１２２と本体嵌合部１１２の嵌合が解除されるため、容器２の開口部２１１ａを容易に開けることができる。
【０１０９】
キャップ付き容器は、キャップ１を容器２に装着する際、容器ネジ部２１２に対する第１本体突出部１１３ａの螺合が解除されたときに、第１本体突出部１１３ａを空転させながら、この第１本体突出部１１３ａに摺接することによりキャップ１を閉位置へと案内する第１案内部２１３を有する。したがって、容器本体２２に複数の容器ネジ部２１２ａから２１２ｄが形成されて、複数箇所でキャップ１を容器２に係合させることができる構造であっても、キャップ本体１１の第１本体突出部１１３ａの容器ネジ部２１２への螺合を解除して空転させる状態を形成することによって、キャップ１を容器２に装着する場合に、１カ所の閉位置にキャップ１を確実に案内できるようになる。このような構成により、キャップ付き容器の構造を簡素化できるようになる。したがって、容器２の気密性を高く維持するとともに、キャップ１を機械（例えばキャッパー装置）によって容器２に装着することが可能になる。
【０１１０】
さらに、キャップ１を容器２に一旦装着すると、キャップ本体１１における第１本体突出部１１３ａが、容器係止部２１６の容器係止面２１６ａによって係止されることにより、キャップ本体１１を容器２から容易に取り外すことができなくなる。したがって、キャップ１を容器２に対して確実かつ強固に装着できる。
【０１１１】
キャップ付き容器は、キャップ１を閉位置から開位置へと移動させたときに、キャップ１が下方に移動しないように、第２本体突出部１１３ｂの下面に当接して支持する支持部２１４ｂを有する。したがって、キャップ１を開位置に移動させたときに、キャップ１が下方に移動しないように固定でき、位置決めが可能となったことにより、確実にキャップ本体１１における接続部１３側の部分が持ち上がり、これによって、蓋体１２の開閉を確実に行うことができるようになる。
【０１１２】
キャップ付き容器は、上記実施形態の構成に限定されるものではない。また、キャップ付き容器は、上記の作用効果に限定されるものでもない。キャップ付き容器の構成は、本発明の要旨を逸脱しない範囲で種々の変更が可能である。また、発音容器は、上記実施形態のキャップ付き容器を利用するものに限定されず、種々の変更が可能である。
【符号の説明】
【０１１３】
１        キャップ
２        容器
１１      キャップ本体
１２      蓋体
１１２    本体嵌合部
１１３    本体ネジ部
１１３ａ  第１本体突出部
１１３ｂ  第２本体突出部
１１６    突起部
１２２    蓋体嵌合部
１２３    蓋体ネジ部
２１      容器の先端部（装着部）
２１１ａ  開口部
２１２    容器ネジ部
２１３    第１案内部
２１４    第２案内部
２１４ｂ  支持部
３        発音キャップ
３１      第１スイッチ（第１センサ）
３２      第２スイッチ（第２センサ）
３３      孔
３４      カバー
３４１    カバーの上面
３４２    振動板サポート
３５      電子回路
３６      発音部材
３７      バッテリ
３８      配線
３９      金属板
【図１Ａ】
2020004365.tif 000003
【図１Ｂ】
2020004365.tif 000004
【図１Ｃ】
2020004365.tif 000005
【図２Ａ】
2020004365.tif 000006
【図２Ｂ】
2020004365.tif 000007
【図２Ｃ】
2020004365.tif 000008
【図３】
2020004365.tif 000009
【図４Ａ】
2020004365.tif 000010
【図４Ｂ】
2020004365.tif 000011
【図５Ａ】
2020004365.tif 000012
【図５Ｂ】
2020004365.tif 000013
【図６】
2020004365.tif 000014
【図７Ａ】
2020004365.tif 000015
【図７Ｂ】
2020004365.tif 000016
【図８Ａ】
2020004365.tif 000017
【図８Ｂ】
2020004365.tif 000018
【図９】
2020004365.tif 000019
【図１０Ａ】
2020004365.tif 000020
【図１０Ｂ】
2020004365.tif 000021
【図１１Ａ】
2020004365.tif 000022
【図１１Ｂ】
2020004365.tif 000023
【図１２】
2020004365.tif 000024
【図１３】
2020004365.tif 000025
【図１４】
2020004365.tif 000026
【図１５】
2020004365.tif 000027
【図１６】
2020004365.tif 000028
【図１７】
2020004365.tif 000029
【図１８】
2020004365.tif 000030
【図１９】
2020004365.tif 000031
【図２０】
2020004365.tif 000032
【図２１】
2020004365.tif 000033
【図２２】
2020004365.tif 000034
【図２３】
2020004365.tif 000035
【図２４】
2020004365.tif 000036
【図２５】
2020004365.tif 000037
【国際調査報告】
2020004365.tif 000038
2020004365.tif 000039
2020004365.tif 000040
2020004365.tif 000041